(57)【要約】【課題】撮影光路内にハーフミラーを配置したレンズ交換式デジタルカメラにおいて、ハーフミラー付着した塵埃を効果的に除去するレンズ交換式デジタルカメラを提供する。【解決手段】撮影レンズの光路内において撮影レンズを通過した被写体光束の一部を透過するハーフミラー４０１と、光路内におけるハーフミラー４０１の位置を規制するように、ハーフミラーに当接する電歪素子２０７を設け、電歪素子２０７の振動によってハーフミラー４０１に付着した塵埃を除去する。【選択図】  図３
2007336041.tif 000002
【特許請求の範囲】
【請求項１】
撮影レンズの光路内に進退可能であって、上記光路内において上記撮影レンズを通過した被写体光束の一部を透過するハーフミラーと、
上記光路内における上記ハーフミラーの位置を規制するように、上記ハーフミラーに当接する規制手段と、
上記ハーフミラーを透過した上記被写体光束を受光して被写体像信号を出力する撮像手段と、
上記被写体像信号に基づいて被写体の動画像を表示装置に表示するスルー画表示手段と、
を具備しており、
上記規制手段は、上記ハーフミラーに当接した状態で上記ハーフミラーを振動させる加振手段を含むことを特徴とするレンズ交換式デジタルカメラ。
【請求項２】
上記加振手段は、上記ハーフミラーに当接する当接部材と、この当接部材を駆動して上記ハーフミラーを振動させるアクチュエータとを含むことを特徴とする請求項1に記載のレンズ交換式デジタルカメラ。
【請求項３】
上記アクチュエータは、周期的な電圧を印加した際に収縮運動する電歪素子を用いたアクチュエータであることを特徴とする請求項２に記載のレンズ交換式デジタルカメラ。
【請求項４】
上記加振手段は、上記ハーフミラーに当接する非円形の回転部材と、この回転部材を回転させる電磁駆動手段とを含むことを特徴とする請求項1に記載のレンズ交換式デジタルカメラ。
【請求項５】
上記ハーフミラーを上記規制手段に対して付勢する付勢手段を含み、上記加振手段は上記付勢手段の付勢力に抗する方向に上記ハーフミラーを周期的に押圧することを特徴とする請求項１に記載のレンズ交換式デジタルカメラ。
【請求項６】
撮影レンズの光路内に配置され、上記撮影レンズを通過した被写体光束の少なくとも一部を反射する可動ミラーと、
この可動ミラーが上記光路に対して反射位置にあるときに当接する位置に配置され、上記可動ミラーに当接した状態で上記可動ミラーを振動させる加振手段と、
を具備したことを特徴とするデジタルカメラ。
【請求項７】
上記加振手段は、電気機械変換素子を含んでいることを特徴とする請求項６に記載のデジタルカメラ。
【請求項８】
上記加振手段は、上記可動ミラーに当接する非円形部材と、この非円形部材を回転させる電磁駆動手段とからなることを特徴とする請求項６に記載のデジタルカメラ。
【発明の詳細な説明】
【技術分野】
【０００１】
本発明は、スルー画表示機能を有するレンズ交換式デジタルカメラに関し、詳しくは、撮像素子で取得した画像を動画像として表示装置に表示する所謂スルー画表示機能（ライブビュー表示機能、電子ファインダ機能とも言う）を有するレンズ交換式デジタルカメラに関する。
【背景技術】
【０００２】
従来のデジタルカメラにおいては、被写体像の観察は、光学式ファインダにより行っていたが、最近は、光学式ファインダをなくし、代わりに被写体画像データの記録用に設けられている撮像素子の出力を表示にも利用している。即ち、撮像素子で取得した画像を、被写体像観察用に液晶モニタ等の表示装置によって表示するスルー画像表示機能を有しているものが多くなってきている。
【０００３】
このようなスルー画表示機能を有するデジタルカメラとして、例えば、特許文献１には、可動ミラーを撮影光路から退避させるとともにフォーカルプレーンシャッタを全開状態にして被写体像を撮像素子に導き、それによって得られた被写体像を連続的に液晶モニタに表示するようにしたレンズ交換式一眼レフカメラが開示されている。ただし、この特許文献１では、スルー画表示中に可動ミラーを撮影光路外に退避させるために、従来の一眼レフカメラで一般的に採用されているＴＴＬ（Trough The Lens）位相差ＡＦ（Auto Focus）を行うことができないという問題がある。
【特許文献１】特開２００２−３６９０４２号公報
【０００４】
そこで、特許文献２には、可動ミラーをハーフミラーで構成し、撮影光学系を通過した被写体光束を撮像素子と位相差ＡＦセンサの両方に導くようにしたデジタルカメラが提案されている。この構成によれば、スルー画表示を行いながら位相差ＡＦも可能となり、前述の問題を解決することができる。
【特許文献２】特開２００２−６２０８号公報
【発明の開示】
【発明が解決しようとする課題】
【０００５】
しかしながら、特許文献２のように撮影光路内にハーフミラーを配置する構成をレンズ交換式デジタルカメラに適用した場合には次のような問題が生ずるおそれがある。すなわち、レンズ交換式カメラの場合は撮影レンズの交換に伴ってカメラ本体内に塵埃が進入し、ハーフミラーに付着することがある。この塵埃は、スルー画表示の際に被写体像に重なって表示されるので、被写体像の観察にあたって見苦しいものとなってしまう。また、測距精度の低下を招くおそれもある。
【０００６】
本発明は、このような事情を鑑みてなされたものであり、撮影光路内にハーフミラーを配置したレンズ交換式デジタルカメラにおいて、ハーフミラーに付着した塵埃を効果的に除去可能としたレンズ交換式デジタルカメラを提供することを目的とする。
【課題を解決するための手段】
【０００７】
上記目的を達成するため第１の発明に係わるレンズ交換式デジタルカメラは、撮影レンズの光路内に進退可能であって、上記光路内において上記撮影レンズを通過した被写体光束の一部を透過するハーフミラーと、上記光路内における上記ハーフミラーの位置を規制するように、上記ハーフミラーに当接する規制手段と、上記ハーフミラーを透過した上記被写体光束を受光して被写体像信号を出力する撮像手段と、上記被写体像信号に基づいて被写体の動画像を表示装置に表示するスルー画表示手段を具備しており、上記規制手段は、上記ハーフミラーに当接した状態で上記ハーフミラーを振動させる加振手段を含んでいる。
【０００８】
第２の発明に係わるレンズ交換式デジタルカメラは、上記第１の発明において、上記加振手段は、上記ハーフミラーに当接する当接部材と、この当接部材を駆動して上記ハーフミラーを振動させるアクチュエータとを含んでいる。
また、第３の発明に係わるレンズ交換式デジタルカメラは、上記第２の発明において、上記アクチュエータは、周期的な電圧を印加した際に収縮運動する電歪素子を用いたアクチュエータである。
さらに、第４の発明に係わるレンズ交換式デジタルカメラは、上記第１の発明において、上記加振手段は、上記ハーフミラーに当接する非円形の回転部材と、この回転部材を回転させる電磁駆動手段とを含んでいる。
さらに、第５の発明に係わるレンズ交換式デジタルカメラは、上記第１の発明において、上記ハーフミラーを上記規制手段に対して付勢する付勢手段を含み、上記加振手段は上記付勢手段の付勢力に抗する方向に上記ハーフミラーを周期的に押圧する。
【０００９】
上記目的を達成するため第６の発明に係わるデジタルカメラは、撮影レンズの光路内に配置され、上記撮影レンズを通過した被写体光束の少なくとも一部を反射する可動ミラーと、
この可動ミラーが上記光路に対して反射位置にあるときに当接する位置に配置され、上記可動ミラーに当接した状態で上記可動ミラーを振動させる加振手段を具備する。
【００１０】
第７の発明に係わるデジタルカメラは、上記第６の発明において、上記加振手段は、電気機械変換素子を含んでいる。
また、第８の発明に係わるデジタルカメラは、上記第６の発明において、上記加振手段は、上記可動ミラーに当接する非円形部材と、この非円形部材を回転させる電磁駆動手段とからなる。
【発明の効果】
【００１１】
本発明によれば、ハーフミラーに当接する規制手段は、上記ハーフミラーに当接した状態で上記ハーフミラーを振動させる加振手段を含んでいるので、ハーフミラーに付着した塵埃を効果的に除去可能としたレンズ交換式デジタルカメラを提供することができる。
【発明を実施するための最良の形態】
【００１２】
以下、図面に従って本発明を適用したデジタルカメラを用いて好ましい第１実施形態について説明する。図１は、本発明の実施形態に係るデジタルカメラについて背面からみた外観斜視図である。このカメラは、カメラ本体２０と、交換レンズとしてのレンズ鏡筒１０とから構成されている。レンズ鏡筒１０はカメラ本体２０の前面のマウント開口部（不図示）に着脱自在となっている。マウント開口部を介してレンズ鏡筒１０内のレンズ１０１ａ、１０１ｂ等（図２参照）からなる撮影レンズによる被写体光束がカメラ本体２０内に導かれる。本実施形態では、レンズ鏡筒１０とカメラ本体２０は別体で構成され、通信接点３００（図２参照）を介して電気的に接続されている。また、カメラ本体２０に設けた着脱検知スイッチ２５９（図２参照）によって着脱状態を検出可能となっている。
【００１３】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピント合わせ、被写体輝度の測光等の撮影準備動作を行い、第２レリーズスイッチ（以下、２Rと称する）のオンにより撮像素子としてのＣＣＤ（Charge Coupled Devices）２２１（図２参照）の出力に基づいて被写体像の画像データの取り込みを行う撮影動作を実行する。
【００１４】
モードダイヤル２２は回転可能に構成された操作部材であり、モードダイヤル２２上に設けられた撮影モードを表す絵表示または記号を指標に合致させることにより、フルオート撮影モード（ＡＵＴＯ）、プログラム撮影モード（Ｐ）、絞り優先撮影モード（Ａ）、シャッタスピード優先撮影モード（Ｓ）、マニュアル撮影モード（Ｍ）、ポートレート撮影モード、風景撮影モード、マクロ撮影モード、スポーツ撮影モード、夜景撮影モード等の各撮影モードを選択することができる。パワースイッチレバー２３はデジタルカメラの電源のオン・オフを行うための操作部材であり、オン・オフの２つの位置に回動可能に構成されている。コントロールダイヤル２４は回転可能に構成された操作部材であり、情報表示画面等において、コントロールダイヤル２４の回転操作により所望の設定値やモード等を選択することができる。
【００１５】
カメラ本体２０の背面には、背面液晶モニタ２６、再生釦２７、メニュー釦２８、十字釦３０、OK釦３１、ファインダ接眼部３３が配置されている。背面液晶モニタ２６は、被写体像を観察用にスルー画として表示したり、撮影済みの被写体像を再生表示したり、カメラ情報やメニューを表示するための表示装置である。これらの表示を行うことができるものであれば、液晶に限らない。なお、カメラ本体２０に対して角度を自在に変更できるよう構成しても良い。ファインダ接眼部３３は、被写体像を観察するための接眼窓であり、内部には後述するファインダ内液晶モニタ２９が配置されており、このファインダ接眼部３３を通じて被写体像を観察可能となっている。再生釦２７は、撮影後に記録した被写体画像を背面液晶モニタ２６に表示させることを指示するための操作釦である。再生釦２７の操作に応じて、後述するＳＤＲＡＭ２３８または記録媒体２４５にＪＰＥＧ等の圧縮モードで記憶されている被写体の画像データが伸張された後、背面液晶モニタ２６に表示される。
【００１６】
十字釦３０は背面液晶モニタ２６上で、Ｘ方向とＹ方向の２次元方向にカーソルの移動を指示するための操作部材であり、また、記録媒体２４５に記録された被写体像を表示するにあたって、再生画像の選択にも使用する。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、背面液晶モニタ２６にメニュー画面が表示される。メニュー画面は複数の階層構造となっており、十字釦３０で各種項目を選択し、ＯＫ釦３１の操作により選択を決定する。
【００１７】
これらのレリーズ釦２１、パワースイッチレバー２３、再生釦２７、メニュー釦２８、十字釦３０、ＯＫ釦３１はいずれもオン・オフスイッチと連動している。これらのオン・オフスイッチに連動する操作釦と、モードダイヤル２２、コントロールダイヤル２４等の操作釦の操作に応じて発生する信号がＡＳＩＣ(Application Specific Integrated Circuit  特定用途向け集積回路)２６２内のスイッチ検出回路２５３（図２参照）に送信される。
【００１８】
次に、図２を用いて、デジタルカメラの電気系を主とする全体構成を説明する。  
レンズ鏡筒１０の内部には、焦点調節および焦点距離調節用のレンズ１０１ａ、１０１ｂと、開口量を調節するための絞り１０３が配置されている。レンズ１０１ａおよびレンズ１０１ｂは光学系駆動機構１０７によって駆動され、絞り１０３は絞り駆動機構１０９によって駆動されるよう接続されている。光学系駆動機構１０７、絞り駆動機構１０９はそれぞれレンズＣＰＵ１１１に接続されており、このレンズＣＰＵ１１１は通信接点３００を介してカメラ本体２０に接続されている。レンズＣＰＵ１１１はレンズ鏡筒１０内の制御を行うものであり、光学系駆動機構１０７を制御してピント合わせや、ズーム駆動を行うとともに、絞り駆動機構１０９を制御して絞り値制御を行う。
【００１９】
カメラ本体２０内のミラーボックス内には、レンズ１０１ａ、１０１ｂを通過した光束の一部を透過する特性を有する可動の反射ミラー（以下、便宜上、可動ハーフミラーという）２０１が配置されている。この可動ハーフミラー２０１は、可動ミラー駆動機構２１５によって駆動され、回動軸２０１ａを中心に紙面垂直方向の軸に沿って回動可能である。可動ハーフミラー２０１がレンズ１０１ａ、１０１ｂの光路に対して４５度に傾いた反射位置（図２において実線の位置）にあるときには、被写体光束の一部（例えば３０％）が反射され、測距／測光センサ２１７に導かれる。また被写体光束の残り（７０％）は、可動ハーフミラー２０１を透過してＣＣＤ２２１の方向に導かれる。なお、本実施形態においては、可動ハーフミラー２０１の回動中心は、ミラーボックス内の下側であるが、これに限らず、上側でも良く、また左右のいずれかに紙面に対して並行な回動中心にしても勿論構わない。回動中心を変更する場合には、併せて測距／測光センサ２１７、シャッタ２０３およびＣＣＤ２２１等の位置も変更する。また、本実施形態においては、ハーフミラーの反射率と透過率はそれぞれ３０％と７０％であるが、この比率に限られず、適宜変更できる。
【００２０】
前述の測距／測光センサ２１７は、カメラ本体２０内のミラーボックスの上部であって、可動ハーフミラー２０１によって反射された光束が導かれる位置に配置されており、測距用のセンサと測光センサから構成されている。測光センサは被写体像を分割して測光する多分割測光素子で構成され、また測距センサはＴＴＬ位相差法によって測距するためのセンサである。測距／測光センサ２１７の出力は測距／測光処理回路２１９に送られる。測距／測光処理回路２１９は、測光センサの出力に基づいて評価測光値を出力し、また測距センサの出力に基づいて、レンズ１０１、１０１ｂによって結像される被写体像の焦点ズレ量を測定する。なお、測距センサと測光センサは別体に構成しても、一体に構成しても良い。
【００２１】
可動ハーフミラー２０１が反射位置にある際に、可動ハーフミラー２０１の一部に当接する位置に電歪素子２０７が配設されている。この電歪素子２０７は電圧を印加した際に機械的ひずみが生ずる素子であって、電歪素子駆動回路２１１に接続されている。電歪素子２０７は電歪素子駆動回路２１１によって駆動され、所定の振動数で機械的振動し、可動ハーフミラー２０１が当接しているときには、可動ハーフミラー２０１も一緒に振動する。なお、電歪素子２０７はチタン酸バリウムやチタン酸ジルコン酸鉛などの狭義の電歪素子に限らず、圧電効果を利用した圧電素子も含んでいる。いずれにしても電気振動を機械振動に変換できる電気機械変換素子であれば利用できる。
【００２２】
電歪素子２０７は、カメラ本体２０のマウント開口部や本体内部で発生した塵埃が可動ハーフミラー２０１等の光学素子に付着して塵埃の影が被写体像に写しこまれ、見苦しくなることを防止するための除塵部材である。電歪素子２０７は可動ハーフミラー２０１の周縁部の全周または一部に当接するようにミラーボックス内に固着されている。電歪素子２０７は電歪素子駆動回路２１１によって、可動ハーフミラー２０１が所定の周期で振動するよう駆動される。そして、その振動を利用して可動ハーフミラー２０１の前面に付着した塵埃が除去される。
【００２３】
可動ハーフミラー２０１の後方であって、レンズ１０１ａ、１０１ｂの光軸上であって、撮影光路上には、露光時間制御およびＣＣＤ２２１の遮光用のフォーカルプレーンタイプのシャッタ２０３が配置されており、このシャッタ２０３はシャッタ駆動機構２１３によって駆動制御される。シャッタ２０３の後方には、被写体光束から赤外光成分をカットするための赤外カットフィルタ２０９が配置され、その後方には被写体光束から高周波成分を取り除くための光学的ローバスフィルタ２１０が配置されている。そして、光学的ローパスフィルタ２１０の後方には、撮像素子としてのＣＣＤ２２１が配置されており、レンズ１０１ａ、１０１ｂによって結像される被写体像を電気信号に光電変換する。これらの赤外カットフィルタ２０９、光学的ローパスフィルタ２１０およびＣＣＤ２１１は、図示しない密封されたパッケージに一体に収納されており、塵埃がこのパッケージ内に侵入しないように構成されている。なお、本実施形態では撮像素子としてＣＣＤを用いているが、これに限らずＣＭＯＳ（Complementary Metal Oxide
Semiconductor）等の二次元撮像素子を使用できることはいうまでもない。
【００２４】
ＣＣＤ２２１は撮像素子駆動回路２２３に接続され、入出力回路２３９からの制御信号によって駆動制御される。撮像素子駆動回路２２３によって、ＣＣＤ２２１から出力された光電アナログ信号が増幅され、アナログデジタル変換（ＡＤ変換）される。撮像素子駆動回路２２３は画像処理回路２２７に接続され、この画像処理回路２２７によってデジタル画像データのデジタル的増幅（デジタルゲイン調整処理）、色補正、ガンマ(γ)補正、コントラスト補正、白黒・カラーモード処理、スルー画像処理といった各種の画像処理がなされる。画像処理回路２２７は、データバス２６１に接続されている。このデータバス２６１には、画像処理回路２２７の他、後述するシーケンスコントローラ(以下、「ボディＣＰＵ」と称す)２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検出回路２５３が接続されている。
【００２５】
データバス２６１に接続されているボディＣＰＵ２２９は、このデジタルカメラの動作を制御するものである。またデータバス２６１に接続されている圧縮伸張回路２３１はＳＤＲＡＭ２３８に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されたビデオ信号出力回路２３３は液晶モニタ駆動回路２３５を介して背面液晶モニタ２６とファインダ内液晶モニタ２９（図中Ｆ内液晶モニタと略記）に接続される。ビデオ信号出力回路２３３は、ＳＤＲＡＭ２３８または記録媒体２４５に記憶された画像データを、背面液晶モニタ２６および／またはファインダ内液晶モニタ２９に表示するためのビデオ信号に変換するための回路である。背面液晶モニタ２６はカメラ本体２０の背面に配置されるが、撮影者が観察できる位置であれば、背面に限らないし、また液晶に限らず他の表示装置でも構わない。ファインダ内液晶モニタ２９は、ファインダ接眼部３３を介して撮影者によって観察できる位置に配置されており、背面液晶モニタ２６と同様、液晶に限らず他の表示装置でも構わない。なお、被写体像の観察として背面液晶モニタ２６のみとし、ファインダ接眼部３３およびファインダ内液晶モニタ２９を省略することも可能である。
【００２６】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。上述の電歪素子駆動回路２１１、シャッタ駆動機構２１３、可動ミラー駆動機構２１５、測距／測光処理回路２１９、撮像素子駆動回路２２３に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。
【００２７】
データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２０に対して着脱自在となっている。その他、通信接点を介してマイクロドライブ（登録商標）の様なハードディスクユニットや無線通信ユニットを接続可能に構成してもよい。
【００２８】
データバス２６１に接続されているフラッシュメモリ制御回路２４７は、フラッシュメモリ（Flash Memory）２４９に接続され、このフラッシュメモリ２４９は、デジタルカメラのフローを制御するためのプログラムが記憶されており、ボディＣＰＵ２２９はこのフラッシュメモリ２４９に記憶されたプログラムに従ってデジタルカメラの制御を行う。なお、フラッシュメモリ２４９は、電気的に書換可能な不揮発性メモリである。
【００２９】
カメラ本体２０やレンズ鏡筒１０のパワー供給の制御を行うためのパワースイッチレバー２３に連動してオン・オフするパワースイッチ２５７と、シャッタレリーズ釦２１の第1ストロークや第２ストロークを検出するスイッチ、再生モードを指示する再生釦２７に連動するスイッチ、背面液晶モニタ２６の画面でカーソルの動きを指示する十字釦３０に連動するスイッチ、撮影モードを指示するモードダイヤル２２に連動するスイッチ、選択された各モード等を決定するＯＫ釦３１に連動するＯＫスイッチ、着脱検知スイッチ２５９等の各種スイッチ２５５は、スイッチ検出回路２５３を介してデータバス２６１に接続されている。なお、着脱検知スイッチ２５９の構造については、図６を用いて後述する。
【００３０】
次に、図３を用いて、電歪素子２０７等からなる加振手段と可動ハーフミラー２０１の構造について説明する。被写体光束の一部を透過し一部を反射するハーフミラー４０１はミラー枠４０３によって保持され、このミラー枠４０３は軸４１１の回りに回動自在である。ミラー枠４０３に固設された駆動ピン４０５はカメラ本体２０に回動自在に軸支された駆動レバー４１３の一端のＹ字状部に挟持されている。そして、駆動レバー４１３の他端とカメラ本体２０との間にはバネ４０７が設けられており、駆動レバー４１３の他端はバネ４０７の付勢力によって、カメラ本体２０側（Ｂ方向）に引っ張られている。このためミラー枠４０３は反時計方向に付勢力を受け、図３（Ａ）の実線で図示される反射位置に回動され、位置決め部材を兼ねた電歪素子２０７に当接して位置決めされる。
【００３１】
駆動レバー４１３の他端は、可動ミラー駆動機構４２１を構成するプランジャ４２１ｂに、図示しない機構により連動している。そして、プランジャ４２１ｂはソレノイド４２１ａによって通電時にＡ方向に引き上げられ、非通電時にはバネ４０７の付勢力によって下降位置にある。レンズ鏡筒１０が離脱される等の場合には、ソレノイド４２１ａに通電され、可動ハーフミラー２０１は退避位置（図３（Ａ）の二点鎖線の位置）に移動する。可動ハーフミラー２０１が、図３（Ａ）に示すような反射位置にあるときに、ミラー枠４０３の一部と当接する位置に、当接部材としての電歪素子２０７が配置され、この電歪素子２０７は支持部材２０８によって、カメラ本体２０に固定されている。可動ハーフミラー２０１は電歪素子２０７に圧接するようにバネ４０７の付勢力を受けている。
【００３２】
このように電歪素子２０７等からなる加振手段と可動ハーフミラー２０１を構成し、かつプランジャ４２１ｂの引力（Ａ方向）がバネ４０７の付勢力（Ｂ方向）を上回るようにしておけば、可動ミラー駆動機構４２１のソレノイド４２１ａの通電時には、図３（Ｂ）に図示する如く、駆動レバー４１３の他端がＡ方向に引き上げられ、ミラー枠４０３はＣ方向の退避位置に移動する。また、可動ミラー駆動機構４２１のソレノイド４２１ａの非通電時には、バネ４０７の付勢力によって駆動レバー４１３の他端は反時計方向に回動し、ミラー枠４０３は撮影光路中に介挿され反射位置となる。この状態では、図３（Ｃ）に示すように、ミラー枠４０３の先端部分において、電歪素子２０７は当接する。電歪素子２０７は電歪素子駆動回路２１１によって振動電圧が印加されると振動し、可動ハーフミラー２０１を振動させる。その結果、ハーフミラー４０１に付着した塵埃は、振動によって下部に移動し、除塵される。なお、本実施形態の如く、軸４１１を前側、すなわちマウント開口面側にすると、塵埃はハーフミラー４０１の回動軸側に移動する。この位置はＣＣＤ２２１より遠方側であるので、塵埃の影がＣＣＤ２２１の撮像面に大きな影響を与えず、塵埃の影を無視することができる。
【００３３】
図６は、カメラ本体２０とレンズ鏡筒１０の着脱状態を検出する着脱検知スイッチ２５９の構成を示すブロック図である。カメラ本体２０のレンズ鏡筒１０を装着するマウント部に設けられた連動ピン１３７は、押圧バネ１３８によってカメラ本体２０から突出する方向に付勢されている。この連動ピン１３７のカメラ本体側の一端はレンズ着脱スイッチ１３９に接触しており、このレンズ着脱スイッチ１３９は開放方向にバネ付勢されている。符号１３１は、レンズ鏡筒１０のレンズ側マウント部である。
【００３４】
このように着脱検知スイッチ２５９は構成されているので、カメラ本体２０にレンズ鏡筒１０が装着されているときは、図６（Ａ）に示すように、連動ピン１３７はレンズ側マウント部１３１によって、図面左方に押し込まれ、レンズ着脱スイッチ１３９はオン、すなわち着脱検知スイッチ２５９はオンとなる。一方、レンズ鏡筒１０がカメラ本体から外されると、図６（Ｂ）に示すように、連動ピン１３７は押圧バネ１３８の付勢力によって、図面右方に突出するので、レンズ着脱スイッチ１３９はオフ、すなわち着脱検知スイッチ２５９はオフとなる。なお、レンズ鏡筒１０の着脱状態の検出は、本実施形態のように機械的検知スイッチに限らず、例えば、フォトセンサを用いた光電検出スイッチでも良く、またレンズＣＰＵ１１１との通信による方法や、レンズ鏡筒１０と接する二接点の通電状態の検出など種々の方法がある。
【００３５】
次に、本発明の第１実施形態におけるデジタルカメラの動作について図４および図５に示すフローチャートを用いて説明する。図４に示すパワーオンリセットのフローに入ると、カメラ本体２０のパワースイッチ２５７がオンとなったかを判定する（Ｓ１）。判定の結果、パワースイッチ２５７がオフの場合には、ステップＳ３に進み、低消費電力の状態であるスリープ状態となる。このスリープ状態ではパワースイッチ２５７がオンとなった場合のみに割り込み処理を行い、ステップＳ７以下においてパワースイッチオンのための処理を行う。パワースイッチがオンとなるまでは、パワースイッチ割り込み処理以外の動作を停止し、電源電池の消耗を防止する。ステップＳ１において、パワースイッチ２５７がオンであった場合には、ステップＳ３に進み、着脱検知スイッチ２５９がオフか否かを判定する。前述したように着脱検知スイッチ２５９は、レンズ鏡筒１０がカメラ本体２０から外されると、オフとなるスイッチである。オフであった場合、すなわちレンズ鏡筒１０が離脱していた場合には、後述するステップＳ５１に進む。これは、レンズ鏡筒１０が離脱している状態でカメラ本体２０のパワースイッチレバー２３が操作され、パワーオンとなった場合に、レンズ離脱時と同様な処理をするためである。ステップＳ３において、着脱検知スイッチ２５９がオンであった場合には、ステップＳ７以下に進み、パワースイッチオンのための処理を行う。
【００３６】
ステップＳ７において、電歪素子２０７による塵埃除去動作を行う（Ｓ７）。可動ハーフミラー２０１はバネ４０７の引張り力により、ソレノイド４２１ａに非通電状態では光路中に介挿され反射位置にある。この際、電歪素子２０７はミラー枠４０３に当接状態にあるので、電歪素子２０７に電歪素子駆動回路２１１から駆動電圧を印加すると、可動ハーフミラー２０１は超音波振動し、この振動によってハーフミラー４０１に付着した塵埃等を除去することができる。
【００３７】
続いて、シャッタ駆動回路２１３によってシャッタ２０３の開放動作を行う（Ｓ９）。これによって、可動ハーフミラー２０１を透過した被写体光束は、シャッタ２０３によって遮られないので、ＣＣＤ２２１上に被写体像が結像される。このＣＣＤ２２１によって撮像された画像データを用いて背面液晶モニタ２６に被写体像を動画表示するスルー画表示の開始を指示する（Ｓ１１）。なお、スルー画表示動作の制御はこの開始指示を受けて画像処理回路２２７にて行われる。
【００３８】
次に、モードダイヤル２２等によって設定された撮影モードや、ＩＳＯ感度、マニュアル設定されたシャッタ速度や絞り値等の情報があればそれらの撮影条件の読み込みを行う（Ｓ１３）。そして、測距／測光センサ２１７によって被写体輝度を測光し、露光量を演算し、この露光量を用いて撮影モード・撮影条件に従ってシャッタ速度や絞り値等の露光制御値の演算を行う（Ｓ１５）。また、測光値や露光量等を用い、スルー画表示設定を行う（Ｓ１７）。このステップでは、ＣＣＤ２２１の駆動にあたっての電子シャッタスピードと感度の条件設定を行うために、ステップＳ１５で求めた測光・露光量の演算結果、もしくは前回の表示画像を用いて、背面液晶モニタ２６および／またはファインダ内液晶２９に適切な明るさ（明度）の像を表示するための演算と設定を行う。
【００３９】
次に、ステップＳ１９に進み、再生モードか否かの判定を行う。この再生モードは、再生釦２７が操作された際に、記録媒体２４５に記録された静止画データを読み出して背面液晶モニタ２６および／またはファインダ内液晶２９に表示するモードである。判定の結果、再生モードが設定された場合には、ステップＳ３１に進み、画像処理回路２２７に対してスルー画表示を停止するよう指示する。そのあと、シャッタ２０３の閉じ動作を行ってから（Ｓ３３）、記録媒体２４５に記録されている静止画データを読出し、圧縮伸張回路２３１にて画像データを伸張し、ビデオ信号出力回路２３３および液晶モニタ駆動回路２３５を介して、背面液晶モニタ２６および／またはファインダ内液晶２９に静止画を再生表示する（Ｓ３５）。再生動作中にレリーズ釦２１の半押し等、他の手動操作がなされた場合には、再生動作を終了してステップＳ７に戻り、前述の動作を繰り返す。
【００４０】
ステップＳ１９に戻り、再生モードが設定されていなかった場合には、ステップＳ２１に進み、メニューモードが設定されているか否かを判定する。これは、メニュー釦２８が操作され、メニューモードが設定されているか否かを判定する。判定の結果、メニューモードが設定されていた場合には、再生モードが設定されていた場合と同様に、スルー画停止指示が出力され（Ｓ３７）、シャッタ２０３に閉じ指令を出力する（Ｓ３９）。この後、メニュー設定動作を行う（Ｓ４１）。メニュー設定動作によって、ホワイトバランス、ＩＳＯ感度設定、ドライブモードの設定等、各種の設定動作を行うことができる。メニュー設定動作が終了すると、ステップＳ７に戻り、前述の動作を繰り返す。
【００４１】
ステップＳ２１に戻り、判定の結果、メニューモードが設定されていなかった場合には、ステップＳ２３に進み、レリーズ釦２１が半押しされたか、すなわち１Ｒスイッチがオンか否かの判定を行う。判定の結果、１Ｒがオンであった場合には、ステップＳ４３に進み、撮影準備と撮影を行う撮影動作のサブルーチンを実行する。このサブルーチンの詳細は図５を用いて後述する。撮影動作のサブルーチンが終了すると、ステップＳ７に戻り、前述のステップを繰り返す。
【００４２】
ステップＳ２３に戻り、判定の結果、１Ｒスイッチがオフであった場合には、ステップＳ２５に進み、ステップＳ２と同様に、着脱検知スイッチ２５９がオフか否かを判定する。レンズ鏡筒１０が離脱されると、再生モードにおけるステップＳ３１およびＳ３３と同様に、スルー画停止指示を出力し（Ｓ４５）、シャッタ２０３の閉じ動作を行う（Ｓ４７）。この後、可動ハーフミラー２０１の退避動作を行う（Ｓ４９）。これはレンズ鏡筒１０が離脱した状態であるので、カメラ本体２０のマウント開口部からクリーニング用具や撮影者の指等が挿入され、可動ハーフミラー２０１が汚れたり、破損するおそれがあるので、可動ハーフミラー２０１の退避動作を行う。退避動作は、前述したように、プランジャ４２１ｂに通電し、駆動レバー４１３をバネ４０７の付勢力に抗して時計方向に回動させ、可動ハーフミラー２０１を退避位置に移動させる（図２および図３の二点鎖線の位置）。
【００４３】
可動ハーフミラー２０１の退避が終わると、またはステップＳ２で着脱検知スイッチ２５９がオフであると判定された場合（すなわち、レンズ鏡筒１０が離脱している場合）には、ステップＳ５１に進み、着脱検知スイッチ２５９がオンか否かを判定する。ステップＳ２５において、レンズ鏡筒１０が離脱されたことを検出した後、レンズ鏡筒１０が再び装着されたか否かを判定するものである。判定の結果、装着されていた場合には、ステップＳ５５に進み、可動ハーフミラー２０１を復帰させる。これは、前述したように、ソレノイド４２１ａを通電状態から非通電状態にすることにより、プランジャ４２１ｂの引っ張り力を消失させ、駆動レバー４１３をバネ４０７の付勢力によって反時計方向に回動し、反射位置に復帰させるものである。
【００４４】
ステップＳ５１に戻り、着脱検知スイッチ２５９がオフであった場合には、ステップＳ５３に進み、パワースイッチ２５７がオンか否かを判定する。レンズ鏡筒１０が離脱され、パワースイッチ２５７がオンの場合には、各種操作釦が操作されても、マウント開口部が開放のままなので、誤動作防止の観点から、カメラ動作を行わないようにしている。そのため、ステップＳ５１にてレンズ鏡筒１０の装着状態と、ステップＳ５においてパワースイッチレバー２３の操作状態の判定を繰り返し行う待機状態となる。ステップＳ５３において、パワースイッチ２５７がオフと判定されると、ステップＳ５４に進み、ステップＳ５５と同様に可動ハーフミラー２０１の復帰を行う。これは、レンズ鏡筒１０が離脱した状態では可動ハーフミラー２０１は退避位置にあるが、ステップＳ５に戻りスリープ状態となる前に可動ハーフミラー２０１を復帰させ電源の消耗を防止するためである。この可動ハーフミラー２０１の復帰動作が終わると、ステップＳ５に戻り、スリープ状態になる。なお、ステップＳ５１において、レンズ鏡筒１０が離脱されたままであることを検出した場合に、ステップＳ５３の判定を省略して、ステップＳ５に進みスリープ状態としてもよく、また、ステップＳ９に進み、各種操作釦による操作に基づく動作を行う等の変形は可能である。
【００４５】
ステップＳ２５に戻り、判定の結果、着脱検知スイッチ２５９がオン、すなわちレンズ鏡筒１０がカメラ本体に装着されていた場合には、ステップＳ２７に進み、パワースイッチ２５７がオンか否かを判定する。判定の結果、オンであった場合には、ステップＳ１３に戻り、前述のステップを繰り返す。ステップＳ１１において、スルー画表示が開始された後、ステップＳ１９以降において各種操作釦等が操作されない限り、可動ハーフミラー２０１を透過した被写体光束は、シャッタ２０３によって妨げられないので、ＣＣＤ２２１上に被写体像が結像し、このＣＣＤ２２１によって撮像された画像データが背面液晶モニタ２６および／またはファインダ内液晶２９に動画像としてスルー画表示される。ステップＳ２７において、パワースイッチ２５７がオフと判定された場合には、ステップＳ３１、Ｓ３３と同様に、画像処理回路２２７に対してスルー画表示を停止するよう指示し（Ｓ２８）、シャッタ２０３の閉じ動作を行う（Ｓ２９）。シャッタ２０３の閉じ動作が終了すると、ステップＳ５に戻り、スリープ状態となる。
【００４６】
このように、本実施形態においては、スルー画表示可能なデジタルカメラにおいて、パワーオン時に可動ハーフミラー２０１を撮影光路中に介挿し、被写体光束の一部を測距／測光センサ２１７に反射させているので、パワーオン時に直ちに測光や測距を行うことができ便利である。
【００４７】
また、可動ハーフミラー２０１が反射位置に移動した際に、電歪素子２０７によって可動ハーフミラー２０１に振動を加え、この振動によって可動ハーフミラー２０１のハーフミラー４０１に付着した塵埃を除去するようにしている。このためハーフミラー４０１に付着した塵埃を効果的に除去することができる。
【００４８】
次に、ステップＳ４３の撮影動作のサブルーチンについて図５を用いて説明する。このサブルーチンは前述したように、レリーズ釦２１の半押しがなされると実行される。まず、測距・自動焦点調節を行う（Ｓ７１）。これは、可動ハーフミラー２０１が撮影光路中に介挿され、被写体光束の一部が測距／測光センサ２１７に反射しているので、この被写体光束を用いて測距／測光処理回路２１９やボディＣＰＵ２２９等はＴＴＬ位相差法によってレンズ１０１ａ、１０１ｂの焦点ズレ量を検出し、この検出された焦点ズレ量に基づいて、レンズＣＰＵ１１１を介して、光学系駆動機構１０７によってピント位置にレンズ１０１ａ、１０１ｂを駆動する。
【００４９】
次に、測光／露光量演算を行う（Ｓ７３）。これも可動ハーフミラー２０１によって反射された被写体光束を測距／測光センサ２１７が受光し、測距／測光処理回路２１９によって処理することにより、被写体輝度ＢＶを検出する。ボディＣＰＵ２２９は、この被写体輝度ＢＶを用いて露光量ＥＶを求め、さらに撮影モード等に従ってシャッタ速度や絞り等の露出条件を求める。
【００５０】
次に、レリーズ釦２１の全押し操作がなされているか、すなわち２Ｒがオンか否かについて判定する（Ｓ７５）。判定の結果、オフであった場合には、ステップＳ７７に進み、１Ｒがオンか否かの判定を行う。レリーズ釦２１の半押し動作で、この撮影動作のサブルーチンにジャンプしてきて、レリーズ釦２１が半押しのままの場合には、このステップＳ７５とＳ７７で繰り返し判定を行う待機状態となる。レリーズ釦２１から手が離れ、１Ｒがオフとなると、パワーオンリセットのステップＳ７に戻る。
【００５１】
ステップＳ７５に戻り、判定の結果、２Ｒスイッチがオンであった場合、すなわちレリーズ釦２１が全押しされた場合には、静止画像取得のための撮像動作に移る。まず、ステップＳ７９において、画像処理回路２２７に対してスルー画停止の指示を出力する。これは静止画像取得にあたって、可動ハーフミラー２０１の退避位置への移動動作、シャッタ２０３の開閉動作等により、ＣＣＤ２２１に入射する被写体像に乱れが生じ、背面液晶モニタ２６および／またはファインダ内液晶２９においてスルー画像が見苦しくなることを防止するためである。続いて、ステップＳ４９と同様にして可動ハーフミラー２０１の退避動作を行う（Ｓ８１）。
【００５２】
続いて、設定絞り値またはＳ７３で演算された絞り値まで絞り１０３の絞込み動作を、レンズＣＰＵ１１１を介し絞り駆動機構１０９によって行う。絞込み動作が終わると、次にＣＣＤ２２１による露光動作を行う（Ｓ８５）。すなわち、可動ハーフミラー２０１は退避位置に移動していることから、レンズ１０１ａ、１０１ｂを通過した被写体光束の全部が、ＣＣＤ２２１上で結像している。この状態でＣＣＤ２２１の電子シャッタのリセットを解除し、被写体像の光電変換電流の電荷蓄積を開始する。予め手動設定若しくはステップＳ７３で設定された露光時間が経過すると、ＣＣＤ２２１の電子シャッタは光電変換信号の電荷蓄積を停止する。なお、ステップＳ８５の露光動作において、ＣＣＤ２２１の電子シャッタによって露光時間を制御していたが、これに限らず、シャッタ２０３によっても露光時間を制御することができる。この場合には、露光動作の開始前に、一旦、シャッタ２０３の先幕・後幕を初期位置に移動させることが必要となる。
【００５３】
続いて、シャッタ２０３の閉じ動作を行い（Ｓ８７）、絞り１０３の開放動作の指示をレンズＣＰＵ１１１に出力する（Ｓ８９）。また、ＣＣＤ２２１で電荷蓄積された画像信号の読み出しを行い（Ｓ９１）、画像処理回路２２７等にて画像処理を行う（Ｓ９３）。圧縮伸張回路２３１において信号圧縮等の処理を行った後、記録媒体２４５に画像データの記録を行う（Ｓ９５）。画像データの記録が終わると、ステップＳ９７において、１Ｒスイッチがオンであるか、すなわちレリーズ釦２１が半押し状態であるか否かを判定する。１Ｒスイッチがオフとなると、ステップＳ９７に進み、ステップＳ５５と同様にして、可動ハーフミラー２０１の復帰動作を行う。復帰動作が終わると、パワーオンリセットのルーチンに戻る。
【００５４】
本実施形態の撮影動作のサブルーチンにおいては、静止画像を取得する撮像動作の際に可動ハーフミラー２０１を退避させている（Ｓ８１参照）。このため可動ハーフミラー２０１における透過光量の減少をなくし、静止画像取得にあたって被写体光量を増加させることができ、高速シャッタ速度での撮影が可能となる。さらに、撮像動作が終わると、ステップＳ９９において、可動ハーフミラー２０１を復帰させているので、撮影後、レリーズ釦２１が再び半押しされたときには、直ちに測光や測距をスルー画表示と並行して行うことができる。
【００５５】
次に、本発明の第２の実施形態について図７を用いて説明する。第１の実施形態では、可動ハーフミラー２０１への加振手段として電歪素子２０７を用いていたが、第２の実施形態においては、電磁アクチュエータを用いて非円形回転部材によって可動ハーフミラー２０１に振動を印加するようにしている。この第２の実施形態は、第１の実施形態において、加振手段が異なり他の構成は同じであるので、相違点について説明する。可動ハーフミラー２０１が、図７（Ａ）に示すような反射位置にあるときに、ミラー枠４０３と当接する位置に、当接部材としての非円形回転部材４３１が配置され、この非円形回転部材４３１の回転軸はモータ４３３の駆動軸に連結されている。
【００５６】
このように第１実施形態の電歪素子２０７に代えて、非円形回転部材４３１がミラー枠４０３と当接するように構成しているので、基本動作は第１実施形態とほぼ同様である。まず、可動ミラー駆動機構４２１のソレノイド４２１ａの通電時には、図７（Ｂ）に図示する如く、駆動レバー４１３の他端がＡ方向に引き上げられ、可動ハーフミラー２０１は退避位置に移動する。また、可動ミラー駆動機構４２１のソレノイド４２１ａの非通電時には、バネ４０７の付勢力によって駆動レバー４１３の他端は反時計方向に回動し、可動ハーフミラー２０１は撮影光路中に介挿され反射位置となる。この状態では、図７（Ｃ）に示すように、ミラー枠４０３はその先端部分において、バネ４０７の付勢力によって非円形回転部材４３１と圧接する。非円形回転部材４３１がモータ４３３によって回転駆動されると、ハーフミラー枠４０３はＤ方向に振動し、ハーフミラー２０１に付着した塵埃は、その振動によって下部に移動し、除塵される。
【００５７】
以上説明したように、本実施形態においては、可動ハーフミラー２０１が反射位置にある際、この可動ハーフミラー２０１と当接する位置に、電歪素子２０７や非円形回転部材といった当接部材を配置し、この当接部材によって可動ハーフミラー２０１を振動させるようにしたので、可動ハーフミラー２０１付着した塵埃を効果的に除去することができる。ハーフミラーが可動に構成されている場合には、ハーフミラー自体に振動部材を設けることは、自重が重くなり、ハーフミラーの保持部材を堅固なもので構成しなければならなくなる。そのため大型化し、また高価となり、また回動の高速化が図れない。それに対して本実施形態では、電歪素子２０７等の振動を与える部材をハーフミラーとは別体にしたので、このような問題が生じない。
【００５８】
さらに、本実施形態では、スルー画表示可能なデジタルカメラにおいて、カメラの作動時に可動ハーフミラー２０１を撮影光路中に介挿し、被写体光束の一部を測距／測光センサ２１７に反射させているので、スルー画表示中にレリーズ釦２１が半押しされ、１Ｒがオンとなったとき、直ちに測光や測距をスルー画表示と並行して行うことができ便利である。
【００５９】
なお、本実施形態においては、電歪素子２０７による除塵動作をパワーオンリセット時と撮影動作が終了してパワーオンリセットのルーチンに戻った際に行っていたが、これに限らず、例えば、レンズ鏡筒１０が離脱された後、再びステップＳ５１で再装着したことを検出し、ステップＳ５５において可動ハーフミラー２０１が反射位置に復帰した後、除塵動作を行っても良く、またレリーズ釦２１の半押し動作がなされた際に、ステップＳ７１、Ｓ７３の前後で行うなど、適宜必要なタイミングで行っても良いことは勿論である。
【００６０】
また、本実施形態においては、電源オンの通常状態において、バネ４０７の付勢力によって可動ハーフミラー２０１は撮影光路中に介挿される反射位置に移動され、反射位置に位置するにあたって特段エネルギを消耗していないが、電源オフ時に可動ハーフミラー２０１を退避位置に位置させるにあたって、エネルギを消耗しないように構成しても良い。さらに、本実施形態においては、可動ハーフミラー２０１を電歪素子２０７等の振動によって除塵するようにしたが、ハーフミラーに限らず全反射ミラーに付着した塵埃を除去する場合にも、本発明を適用することもできる。
【００６１】
また、本実施形態においては、撮像素子としてのＣＣＤ２２１は可動ハーフミラー２０１の透過光を受光し、測距／測光センサ２１７は可動ハーフミラー２０１の反射光を受光していたが、これとは逆にＣＣＤ２２１は反射光を、測距／測光センサ２１７は透過光を受光するように構成しても良い。
【００６２】
本実施形態においては、本発明を一般的なデジタルカメラに適用したものであったが、これに限らず、携帯等の各種装置内の撮影装置でもよく、またベローズ、エクステンションチューブ等を装着するものでも良く、さらに顕微鏡、双眼鏡等の各種装置に取り付けられる専用カメラにも適用できることは勿論である。
【図面の簡単な説明】
【００６３】
【図１】本発明の第１実施形態におけるデジタルカメラを背面から見た外観斜視図である。
【図２】本発明の第１実施形態におけるデジタルカメラの電気系の全体構成を示すブロック図である。
【図３】本発明の第１実施形態における可動ハーフミラーの部品構成を示す斜視図である。
【図４】本発明の第１実施形態におけるパワーオンリセットの動作を示すフローチャートである。
【図５】本発明の第１実施形態における撮影動作のフローチャートである。
【図６】本発明の第１実施形態における着脱検知スイッチの構成を示す図である。
【図７】本発明の第２実施形態における可動ハーフミラーの部品構成を示す斜視図である。
【符号の説明】
【００６４】
１０  レンズ鏡筒
２０  カメラ本体
２１  レリーズ釦
２３  パワースイッチレバー
２６  背面液晶モニタ
２９  ファインダ内液晶モニタ
３３  ファインダ接眼部
１０１ａ、１０１ｂ  レンズ
１０３  絞り
１１１  レンズＣＰＵ
２０１  可動ハーフミラー
２０３  シャッタ
２０７  電歪素子
２０９  赤外カットフィルタ
２１０  光学的ローパスフィルタ
２１１  電歪素子駆動回路
２１５  可動ミラー駆動機構
２１７  測距／測光センサ
２１９  測距／測光処理回路
２２１  ＣＣＤ
２２７  画像処理回路
２２９  ボディＣＰＵ
２５３  スイッチ検出回路
２５５  各種スイッチ
２５７  パワースイッチ
２５９  着脱検知スイッチ
２６１  データバス
４０１ ハーフミラー
４０３  ミラー枠
４１３  駆動レバー
４２１ａ  ソレノイド
４２１ｂ  プランジャ
４３３  非円形回転部材
４３３  モータ
【図３】
2007336041.tif 000003
【図７】
2007336041.tif 000004
【図１】
2007336041.tif 000005
【図２】
2007336041.tif 000006
【図４】
2007336041.tif 000007
【図５】
2007336041.tif 000008
【図６】
2007336041.tif 000009